(57)【要約】【課題】本発明は、意に反したボルト及びナットの回転を防止し、ボルトとナットがゆるんで履物底より付属品が脱落することを防止する履物底への付属品取付装置を提供しようとするものである。【解決手段】本発明は、履物底への付属品取付装置に次の手段を採用する。第１に、ねじ部を外部に突出して履物底に埋設される爪付ボルトと、着脱ナットとにより、ボルト貫通穴が形成された付属品を履物底に取り付ける。第２に、付属品を固定する着脱ナットの付属品側の平面の一部に逆転阻止凸部を形成する。第３に、付属品のボルト貫通穴の周辺を弾力性ある素材とする。第４に、周辺にナット側に向かって曲折するバネ部を形成する。第５に、バネ部に逆転阻止凸部が嵌合する受け部を形成する。第６に、バネ部にナット締め付け方向に向かって嵌合受け部へと下降する逆転阻止凸部が摺動する傾斜面を形成する。【選択図】        図２
2004350743.tif 000002
【特許請求の範囲】
【請求項１】
ねじ部を外部に突出して履物底に埋設される爪付ボルトと、履物底外部より付属品を固定する着脱ナットとにより、ボルト貫通穴が形成された付属品を履物底に取り付ける付属品取付装置において、付属品を固定する着脱ナットの付属品側の平面の一部に逆転阻止凸部を形成し、付属品のボルト貫通穴の周辺を弾力性ある素材とすると共に、該周辺にナット側に向かって曲折するバネ部を形成し、該バネ部に上記逆転阻止凸部が嵌合する受け部を形成し、バネ部のナット締め付け方向に向かって嵌合受け部へと下降する上記逆転阻止凸部が摺動する傾斜面を形成したことを特徴とする履物底への付属品取付装置。
【請求項２】
爪付ボルトのボルト頭の下面が、締め付け方向に向かって凹状湾曲していることを特徴とする履物底への付属品取付装置。
【発明の詳細な説明】
【０００１】
【発明の属する技術分野】
本発明は、ねじ部を外部に突出して履物底に埋設されるボルトと、履物底外部側から付属品を固定する着脱ナットとによって付属品を履物底に取り付ける付属品取付装置に関するものであって、主として野球用スパイクシューズにおけるスパイク金具取付装置を主眼に開発されたものである。
【０００２】
【従来の技術】
従来より、特許文献１に示されるように、ボルトとナットによりスパイク金具等の付属品を靴底に取り付ける付属品取付装置として、例えばスパイク金具取付装置等が存在した。しかし、従来のこの種のスパイク金具取付装置では、ボルトとナットの宿命から使用中にゆるみが生じるものであった。特に靴底の湿度等の変化による厚みの変化、及びそれにともなうクリアランスの発生によりナットの意に反した回転が生じる危険を有するものであって、これにより使用中にゆるみが発生し、強いては使用中にスパイク金具が脱落する危険さえあった。
【０００３】
【特許文献１】特開平５−９１９０４号公報
【０００４】
【発明が解決しようとする課題】
本発明は、上記問題点を解決しようとするもので、意に反したボルト及びナットの回転を防止し、ボルトとナットがゆるんで履物底より付属品が脱落することを防止する履物底への付属品取付装置を提供しようとするものである。
【０００５】
【課題を解決するための手段】
第１の発明は、上記課題を解決するため、履物底への付属品取付装置に次の手段を採用する。
第１に、ねじ部を外部に突出して履物底に埋設される爪付ボルトと、履物底外部より付属品を固定する着脱ナットとにより、ボルト貫通穴が形成された付属品を履物底に取り付ける付属品取付装置とする。
第２に、付属品を固定する着脱ナットの付属品側の平面の一部に逆転阻止凸部を形成する。
第３に、付属品のボルト貫通穴の周辺を弾力性ある素材とする。
第４に、該周辺にナット側に向かって曲折するバネ部を形成する。
第５に、該バネ部に上記逆転阻止凸部が嵌合する受け部を形成する。
第６に、該バネ部にナット締め付け方向に向かって嵌合受け部へと下降する上記逆転阻止凸部が摺動する傾斜面を形成する。
【０００６】
第２の発明は、第１の発明の改良に関するもので爪付ボルトのボルト頭の下面が、締めつけ方向に向かって凹状湾曲していることを特徴とする履物底への付属品取付装置である。
【０００７】
【発明の実施の形態】
以下、図面に従って、実施例と共に本発明の実施の形態について説明する。本発明は履物底への付属品取付装置であって、付属品としては野球用スパイク、サッカー用スパイク等種々のものが考えられるが、本実施例は野球用スパイクシューズに関するものである。
【０００８】
図９は、野球用スパイクシューズの底面側から観察した状態の斜視図であって、図１が、スパイク金具が取り付けられた状態を示す部分断面図で、図２が、同取付直前の状態を示す部分断面図である。図１及び図２に示されるように、本実施例はスパイク金具２と爪付ボルト４と着脱ナット３とで構成される。
【０００９】
爪付ボルト４は、ボルト頭４１と雄ねじ部４３を有する金属製のボルトで、図４の爪付ボルトの爪を示す説明図に示されるように、締め付け方向（図４中下方）に向かって、回転阻止爪４２を形成してある。また、ボルト頭４１の下面が、締めつけ方向に向かって凹状に湾曲している。従って、締め付け方向に引かれた爪付ボルト４のボルト頭４１は凹状湾曲形状により締め付け方向と反対方向に反発力を保有する。
【００１０】
爪付ボルト４は、図１及び図２に示されるように、雄ねじ部４３を靴底１の外部に突出して靴底１に埋設される。詳しく説明すると、爪付ボルト４はボルト頭４１を中底１３の上面に位置させ、ミッドソール１２及びアウトソール１１を貫通して靴底１外に雄ねじ部４３側を突出して埋設される。
【００１１】
着脱ナット３は、靴底１に付属品であるスパイク金具２を固定するためのもので、図７（Ａ）乃至（Ｂ）に示されるように中央に雌ねじ部３１が形成され、図７（Ｂ）乃至（Ｄ）に示されるようにスパイク金具２側の平面の一部に逆転阻止凸部３２が形成されている。実施例における逆転阻止凸部３２は着脱ナット３を横断して形成されたものであるが、逆転阻止機能を有するならば単なる突起状のものでよいことは勿論である。
【００１２】
スパイク金具２は、この種の金具が通常有する滑り止め部及びボルト貫通穴２１が形成されている。スパイク金具２は、全体が弾力性を有する金属で構成されているが、本発明では、少なくとも付属品のボルト貫通穴２１の周辺部２３を弾力性ある素材とすれば足りる。
【００１３】
ボルト貫通穴２１の周辺部２３は、着脱ナット３側に向かって（図５（Ｂ）中下方）曲折されたバネ部が形成されている。該バネ部である周辺部２３には着脱ナット３の上記逆転阻止凸部３２が嵌合する嵌合受け部となる嵌合切欠部２５が形成されている。本発明における嵌合受け部は、切欠部である必要はないが、周辺部２３にバネ部としての機能を発揮させるためには嵌合切欠部２５とすることが最適である。
【００１４】
該バネ部である周辺部２３は、着脱ナット３の締め付け方向に向かって嵌合切欠部２５へと下降する上記逆転阻止凸部３２が摺動する傾斜面２４が形成されている。
【００１５】
以下、実施例の使用方法と共に作用について説明する。まず、爪付ボルト４は、ボルト頭４１を中底１３の上面に位置させ、ミッドソール１２及びアウトソール１１を貫通して靴底１外に雄ねじ部４３を突出させ埋設する。
【００１６】
続いてスパイク金具２は、爪付ボルト４がボルト貫通穴２１を貫通するよう装着し、その外側からナット３を逆転阻止凸部３２がスパイク金具２側に向く方向で爪付ボルト４の雄ねじ部４３に装着する。この着脱ナット３を締め付ける前の状態が図２に示される。
【００１７】
着脱ナット３を締め始めると、着脱ナット３は周辺部２３のバネ部を押圧し、スパイク金具２を靴底１に当接させる。更に締め続けると周辺部２３のバネ部は水平に曲折され、同時に爪付ボルト４は着脱ナット３側に引かれ、回転阻止爪４２は中底１３に食い込むと同時に、爪付ボルト４のボルト頭４１の下面の凹状湾曲が変形され、上方に向かったテンションを発生させる。締め付け終了直前に回転阻止凸部３２は傾斜面２４に沿って移動し、嵌合切欠部２５に嵌合し、締め付けが完了する。この状態が図１に示される。
【００１８】
【発明の効果】
本発明では、爪付ボルトと着脱ナットとにより、ボルト貫通穴が形成された付属品を履物底に取り付ける付属品取付装置としたので、ボルトの回転を阻止し、不用意な付属品取付装置のゆるみを防止できるものとなった。
【００１９】
付属品のボルト貫通穴の周辺を弾力性ある素材とすると共に、該周辺にナット側に向かって曲折するバネ部を形成したものであるので、着脱ナットによる締め付け状態で着脱ナットに対し、常時テンションがかかっているので、着脱ナットの不用意な回転を抑止する効果がある。
【００２０】
付属品を固定する着脱ナットの付属品側の平面の一部に逆転阻止凸部を形成し、バネ部に上記逆転阻止凸部が嵌合する受け部を形成したものであるので、逆転阻止凸部が受け部に嵌合し、より効果的に着脱ナットの回転を阻止できる。
【００２１】
更に、バネ部にナット締め付け方向に向かって嵌合受け部へと下降する上記逆転阻止凸部が摺動する傾斜面を形成したものであるので、逆転阻止凸部は締め付け時に受け部に対し滑り込みやすく、かつゆるむ方向に対し回転しにくいものとなった。
【００２２】
請求項２記載の発明の効果ではあるが、爪付ボルトのボルト頭の下面が、締め付け方向に向かって凹状湾曲しているため、締め付け時の付属品のボルト貫通穴周辺のバネ部によるテンションとボルト頭の反対方向に対するテンションとにより着脱ナットの回転をより効果的に防止できる。
【図面の簡単な説明】
【図１】本発明の一実施例であるスパイク金具が取り付けられた状態を示す部分断面図
【図２】同取付直前の状態を示す部分断面図
【図３】爪付ボルトの平面図
【図４】爪付ボルトの爪を示す説明図
【図５】スパイク金具の説明図であって、（Ａ）は靴底側からみた平面図で、（Ｂ）は切断状態を示す端面図である。
【図６】スパイク金具のボルト貫通穴を接地面側から観察した状態の説明図
【図７】着脱ナットの説明図で（Ａ）は平面図、（Ｂ）は底面図、（Ｃ）は正面図、（Ｄ）は右側面図である。
【図８】着脱ナットとボルト貫通穴周辺との関係を示す説明図
【図９】野球用スパイクシューズの底面側から観察した状態の斜視図
【符号の説明】
１．．．．．靴底
２．．．．．スパイク金具
３．．．．．着脱ナット
４．．．．．爪付ボルト
１１．．．．アウトソール
１２．．．．ミッドソール
１３．．．．中底
２１．．．．ボルト貫通穴
２３．．．．周辺部
２４．．．．傾斜面
２５．．．．嵌合切欠部
３１．．．．雌ねじ部
３２．．．．逆転阻止凸部
４１．．．．ボルト頭
４２．．．．回転阻止爪
４３．．．．雄ねじ部
【図１】
2004350743.tif 000003
【図２】
2004350743.tif 000004
【図３】
2004350743.tif 000005
【図４】
2004350743.tif 000006
【図５】
2004350743.tif 000007
【図６】
2004350743.tif 000008
【図７】
2004350743.tif 000009
【図８】
2004350743.tif 000010
【図９】
2004350743.tif 000011